【手続補正書】
【提出日】平成23年8月10日(2011.8.10)
【手続補正１】
【補正対象書類名】特許請求の範囲
【補正対象項目名】請求項１
【補正方法】変更
【補正の内容】
【請求項１】
コンテンツプロバイダを、コンテンツホスティングウェブサイトの収入分配プログラムに入会させるための、コンピュータによって実行される方法であって、前記方法は、
コンテンツプロバイダから前記収入分配プログラムに参加したいというリクエストを受信するステップと、ここで、該収入分配プログラムにおいて前記コンテンツプロバイダは該コンテンツプロバイダによって提供されたコンテンツアイテムと共に表示される広告から生じる収入を受け取り、前記リクエストは前記コンテンツプロバイダに関係するコンテンツ情報を特定し、
前記リクエストに応じて、前記コンテンツプロバイダが受けた減点数、および前記コンテンツホスティングウェブサイトに対する前記コンテンツプロバイダの価値を示す前記コンテンツプロバイダの最終得点に少なくとも部分的に基づいて、前記コンテンツプロバイダを前記収入分配プログラムに招待するかどうかを、コンピュータによって自動的に決定するステップと、ここで、前記最終得点は前記コンテンツ情報に少なくとも部分的に基づくものであり、
前記決定に従い、前記収入分配パートナープログラムに前記コンテンツプロバイダを招待するステップと
を具える方法。
【手続補正２】
【補正対象書類名】特許請求の範囲
【補正対象項目名】請求項２２
【補正方法】変更
【補正の内容】
【請求項２２】
コンテンツアイテムを用いてコンテンツホスティングウェブサイト上で収入を生み出すかどうかを決定するための、コンピュータにより実行される方法であって、前記方法は、
コンテンツプロバイダに関係するコンテンツアイテムから収入を生み出せるようにする換金化リクエストを受信するステップと、
前記コンテンツアイテムを参照コンテンツアイテムと比較して該コンテンツアイテムのオリジナリティを判定するステップと、
前記コンテンツアイテムの前記オリジナリティ、および前記コンテンツプロバイダが収入分配プログラムの一員となっている時間に少なくとも部分的に基づいて前記換金化リクエストを承諾するかどうかを、コンピュータによって自動的に決定するステップと、ここで、前記収入分配プログラムにおいて前記コンテンツプロバイダは該コンテンツプロバイダによって提供されたコンテンツアイテムと共に表示される広告から生じる収入を受け取り、
前記コンテンツアイテムのオリジナリティ、および前記コンテンツプロバイダが前記収入分配プログラムの一員となっている時間に応じて前記コンテンツアイテムの換金化ステータスを示すように、該コンテンツアイテムについてのアカウント記録を更新するステップと
を備える方法。
【手続補正３】
【補正対象書類名】特許請求の範囲
【補正対象項目名】請求項３７
【補正方法】変更
【補正の内容】
【請求項３７】
コンテンツアイテムを用いてコンテンツホスティングウェブサイト上で収入を生み出すべきかどうかを決定するための、コンピュータにより実行される方法であって、前記方法は、
コンテンツプロバイダに関係するコンテンツアイテムから収入を生み出せるようにする換金化リクエストを受信するステップと、
前記コンテンツプロバイダが換金化したコンテンツを以前に提供したことがあるかどうかを判定するステップと、
前記コンテンツプロバイダが換金化したコンテンツを以前に提供したことがあるのに応じて、前記換金化リクエストを自動的に承諾するかどうかをコンピュータによって決定するステップと、
前記換金化リクエストを自動的に承諾しないという決定に応じて、コンピュータによって、前記コンテンツアイテムを参照コンテンツアイテムと比較して該コンテンツアイテムのオリジナリティを判定し、かつ、前記コンテンツアイテムのオリジナリティ、および前記コンテンツプロバイダが収入分配プログラムの一員であり続けた時間に少なくとも部分的に基づいて前記リクエストを承諾するステップと、ここで、前記収入分配プログラムにおいて前記コンテンツプロバイダは該コンテンツプロバイダによって提供されたコンテンツアイテムと共に表示される広告から生じる収入を受け取り、
を備える方法。
【手続補正４】
【補正対象書類名】特許請求の範囲
【補正対象項目名】請求項３８
【補正方法】変更
【補正の内容】
【請求項３８】
コンテンツホスティングサイト上に示される換金化コンテンツアイテムと関係する収入分配を受け取るためのコンピュータにより実行される方法であって、前記方法は、
コンテンツプロバイダから受信した換金化コンテンツアイテムをウェブ広告と併せて表示するステップと、ここで、前記コンテンツプロバイダは収入分配プログラムの一員として許可されており、前記収入分配プログラムにおいて前記コンテンツプロバイダは該コンテンツプロバイダによって提供されたコンテンツアイテムと共に表示される広告から生じる収入を受け取り、
コンピュータによって、前記換金化コンテンツアイテムと併せて表示される前記ウェブ広告の少なくとも一部に基づいて収入を生み出すステップと、
コンピュータによって、前記収入の第一部分を前記コンテンツプロバイダに分配し、第二部分を前記コンテンツホスティングサイトに分配するステップと
を備える方法。
【手続補正５】
【補正対象書類名】特許請求の範囲
【補正対象項目名】請求項５３
【補正方法】変更
【補正の内容】
【請求項５３】
コンテンツプロバイダを、コンテンツホスティングウェブサイトの収入分配プログラムに入会させるための、コンピュータプログラムであって、コンピュータに、
コンテンツプロバイダからの前記収入分配プログラムに参加したいというリクエストを受信する手順と、ここで、該収入分配プログラムにおいて前記コンテンツプロバイダは該コンテンツプロバイダによって提供されたコンテンツアイテムと共に表示される広告から生じる収入を受け取り、前記リクエストは前記コンテンツプロバイダに関係するコンテンツ情報を特定し、
前記リクエストに応じて、前記コンテンツプロバイダが受けた減点数、および前記コンテンツホスティングウェブサイトに対する前記コンテンツプロバイダの価値を示す前記コンテンツプロバイダの最終得点に少なくとも部分的に基づいて、前記コンテンツプロバイダを前記収入分配プログラムに招待するかどうかを決定する手順と、ここで、前記最終得点は前記コンテンツ情報に少なくとも部分的に基づくものであり、
前記決定に応じて、前記収入分配パートナープログラムに前記コンテンツプロバイダを招待する手順と、
を実行させるためのコンピュータプログラム。
【手続補正６】
【補正対象書類名】特許請求の範囲
【補正対象項目名】請求項５４
【補正方法】変更
【補正の内容】
【請求項５４】
コンテンツアイテムを用いてコンテンツホスティングウェブサイト上で収入を生み出すべきかどうかを決定するための、コンピュータプログラムであって、コンピュータに、
コンテンツプロバイダに関係するコンテンツアイテムから収入を生み出せるようにする換金化リクエストを受信する手順と、
前記コンテンツアイテムを参照コンテンツアイテムと比較して該コンテンツアイテムのオリジナリティを判定する手順と、
前記コンテンツアイテムのオリジナリティ、および前記コンテンツプロバイダが収入分配プログラムの一員となっている時間に少なくとも部分的に基づいて前記換金化リクエストを承諾するかどうかを決定する手順と、ここで、前記収入分配プログラムにおいて前記コンテンツプロバイダは該コンテンツプロバイダによって提供されたコンテンツアイテムと共に表示される広告から生じる収入を受け取り、
前記コンテンツアイテムのオリジナリティ、および前記コンテンツプロバイダが前記収入分配プログラムの一員となっている時間に応じて前記コンテンツアイテムの換金化ステータスを示すように、該コンテンツアイテムについてのアカウント記録を更新する手順と
を実行させるためのコンピュータプログラム。
【手続補正７】
【補正対象書類名】特許請求の範囲
【補正対象項目名】請求項５５
【補正方法】変更
【補正の内容】
【請求項５５】
コンテンツアイテムを用いてコンテンツホスティングウェブサイト上で収入を生み出すべきかどうかを決定するための、コンピュータプログラムであって、コンピュータに、
コンテンツプロバイダに関係するコンテンツアイテムから収入を生み出せるようにする換金化リクエストを受信する手順と、
前記コンテンツプロバイダが換金化したコンテンツを以前に提供したことがあるかどうかを判定する手順と、
前記コンテンツプロバイダが換金化したコンテンツを以前に提供したことがあるのに応じて、前記換金化リクエストを自動的に承諾するかどうかを決定する手順と、
前記換金化リクエストを自動的に承諾しないという決定に応じて、前記コンテンツアイテムを参照コンテンツアイテムと比較して該コンテンツアイテムのオリジナリティを判定し、かつ、前記コンテンツアイテムのオリジナリティ、および前記コンテンツプロバイダが収入分配プログラムの一員であり続けた時間に少なくとも部分的に基づいて前記リクエストを承諾する手順と、ここで、前記収入分配プログラムにおいて前記コンテンツプロバイダは該コンテンツプロバイダによって提供されたコンテンツアイテムと共に表示される広告から生じる収入を受け取り、
を実行させるためのコンピュータプログラム。
【手続補正８】
【補正対象書類名】特許請求の範囲
【補正対象項目名】請求項５６
【補正方法】変更
【補正の内容】
【請求項５６】
コンテンツホスティングサイト上に示される換金化コンテンツアイテムと関係する分配収入を受け取るためのコンピュータプログラムであって、コンピュータに、
コンテンツプロバイダから受信した換金化コンテンツアイテムをウェブ広告と併せて表示する手順と、ここで、前記コンテンツプロバイダは収入分配プログラムの一員として許可されており、前記収入分配プログラムにおいて前記コンテンツプロバイダは該コンテンツプロバイダによって提供されたコンテンツアイテムと共に表示される広告から生じる収入を受け取り、
前記換金化コンテンツアイテムと併せて表示される前記ウェブ広告の少なくとも一部に基づいて収入を生み出す手順と、
前記収入の第一部分を前記コンテンツプロバイダに分配し、第二部分を前記コンテンツホスティングサイトに分配する手順と
を実行させるためのコンピュータプログラム。
【手続補正９】
【補正対象書類名】特許請求の範囲
【補正対象項目名】請求項５７
【補正方法】変更
【補正の内容】
【請求項５７】
コンテンツプロバイダをコンテンツホスティングウェブサイトの収入分配プログラムに入会させるためのシステムであって、
コンピュータと、
コンテンツプロバイダに関する違反情報を格納するよう適合しているユーザーデータベースと、
前記収入分配プログラムに参加したいというコンテンツプロバイダからのリクエストを受けるよう構成され、ここで、前記収入分配プログラムにおいて前記コンテンツプロバイダは該コンテンツプロバイダによって提供されたコンテンツアイテムと共に表示される広告から生じる収入を受け取り、かつ、前記ユーザーデータベースに格納される前記違反情報に少なくとも部分的に基づいて、前記コンテンツプロバイダを前記収入分配プログラムに参加させるために招待するかどうかを自動的に決定するようさらに構成されている申請分析モジュールと
を備えるシステム。